【事件の表示】
　特願２００８−２６４４４５「コラーゲン産生促進剤並びにコラーゲン産生促進作用を有する化粧料及び美容用飲食品」拒絶査定不服審判事件〔平成２２年　４月２２日出願公開、特開２０１０−　９００８８〕について、次のとおり審決する。
【結　論】
　本件審判の請求は、成り立たない。
【理　由】
第１　手続の経緯
　本願は、平成２０年１０月１０日に出願された特許出願であって、平成２５年４月３日付けで拒絶理由が通知され、同年６月６日に意見書が提出され、平成２６年２月７日付けで拒絶査定され、同年５月１２日に拒絶査定不服審判が請求されたものである。
第２　本願発明
　本願の請求項１〜３に係る発明は、願書に最初に添付された特許請求の範囲の請求項１〜３に記載された事項により特定されるとおりのものと認められ、その請求項２に係る発明（以下、「本願発明」という）は次のとおりのものである。
「白鶴霊芝からの抽出物を含有することを特徴とする、コラーゲン産生促進作用を有する化粧料。」
第３　引用例及びその記載事項
　原査定の拒絶の理由に引用された、本願出願日前である平成９年６月３日に頒布された「特開平９−１４３０２５号公報」（以下「引用例」という。）には、次の事項が記載されている。
（ア）
「【請求項１】　白鶴霊芝の水および／または有機溶媒抽出物を含有することを特徴とする化粧料。」
（イ）
「【０００１】
【産業上の利用分野】本発明は白鶴霊芝を用いて皮膚の老化・・・を防止する化粧料に関する。」　
（ウ）
「【０００５】本発明者等は、皮膚老化・・・を生じない化粧料素材につき鋭意研究を行った結果、白鶴霊芝の溶媒抽出物が優れた活性酸素消去能を有することを見出し、これを化粧料に用いればよいとの結論に達して本発明を完成させた。」
（エ）
「【００１２】
・・・
抽出例１
乾燥白鶴霊芝・・・の葉および枝３ｇを１００℃の熱水５００ｍｌに２分間浸漬し、・・・抽出液を得た。
【００１３】抽出例２
乾燥白鶴霊芝の茎、枝および葉の混合物（全草）３ｇを水５００ｍｌに浸漬し、１００℃に加熱して６０分間保持した後濾過し・・・抽出液を得た。
【００１４】抽出例３
乾燥白鶴霊芝の枝３ｇを水５００ｍｌに浸漬し、１００℃に加熱して９０分間保持した後濾過し・・・抽出液を得た。
【００１５】抽出例４
抽出例１の抽出残渣を水５００ｍｌに浸漬し、１００℃に加熱して６０分間保持した後・・・抽出液を得た。
【００１６】抽出例５
白鶴霊芝全草および根の乾燥混合物を、・・・各々ティーバックに入れ、熱湯６００ｍｌを注入して１分間振盪し、・・・抽出液を得た。
【００１７】抽出例６
乾燥白鶴霊芝全草を粉砕機にかけて粉砕し、得られた粉砕物をアセトン、ベンゼン、１，３−ブチレングリコール、エタノール、エーテルに各々１．００ｇ／５０ｍｌの割合で約２４時間浸漬した。次いでこれらのものを各々濾過して・・・各溶媒抽出液を得た。」
（オ）
「【００３０】実施例１  固形石鹸
下記処方例１の処方の石鹸用素材を充分混練りした後、口金を５０℃に維持した押出成型機に入れて押出し、型打ち成型機にかけて固形石鹸を製造した。
処方例１（重量％、以下処方例は全て重量％で表示する）
  セタノール                                        １０．００
  ジブチルヒドロキシトルエン                          ０．０２
  抽出例１の抽出液                                  ２０．００
  着色料                                              微量
  天然油脂石鹸ベース（牛脂４０％、やし油２０％、
  ＮａＯＨ３０％、水分１０％）                        残量
この石鹸を３か月間使用し続けたところ、肌荒れが改善されてしっとりとした潤いのある肌を保つことができた。
【００３１】実施例２  固形石鹸
下記処方例２の処方の石鹸用素材を充分混練りした後、口金を４５℃に維持した押出成型機に入れて押出し、型打ち成型機にかけて固形石鹸を製造した。
処方例２
  Ｎ−ラウロイル−Ｌ−グルタミン酸モノナトリウム    ６４．００
  Ｎ−オレオイル−Ｌ−グルタミン酸モノナトリウム    １０．００
  ミリスチルアルコール                                ５．００
  ラウリン酸ジエタノールアミド                        ２．００
  エデト酸２ナトリウム                                ０．２０
  酸化チタン                                          ０．１０
  抽出例１の抽出液の凍結乾燥末                        ０．１０
  精製水                                              残量
この石鹸を２か月間使用し続けたところ、肌荒れが改善されてしっとりとした潤いのある肌を保つことができた。
【００３２】実施例３  クリーム
下記処方例３の処方のクリーム用素材を、加温溶解、撹拌乳化、冷却等常法により処理してクリームを製造した。
処方例３
  モノステアリン酸グリセリン                          ５．００
  ステアリン酸                                        ５．００
  モノステアリン酸ポリエチレングリコール              ２．００
  ベヘニルアルコール                                  １．００
  流動パラフィン                                    １０．００
  トリオクタン酸グリセリル                          １０．００
  抽出例２の抽出液                                    ０．０１
  １，３−ブチレングリコール                          ５．００
  パラオキシ安息香酸エステル                          ０．２０
  エデト酸２ナトリウム                                ０．０１
  精製水                                              残量
このクリームを３か月間使用し続けたところ、肌荒れが改善され、しっとりとした潤いのある肌を保つことができた。
【００３３】実施例４  クリーム
抽出例２の抽出液０．０１重量％の代わりに、抽出例２の抽出液の凍結乾燥末０．０００１重量％を使用する他は、実施例３と同様に処理してクリームを製造した。このクリームを２か月間使用し続けたところ、肌荒れが改善され、しっとりとした潤いのある肌を保つことができた。
【００３４】実施例５  ローション
下記処方例４の処方のローション用素材を、撹拌、溶解せしめる等常法により処理してローションを製造した。
処方例４
  エタノール                                        １５．００
  ポリオキシエチレン硬化ヒマシ油                      ８．００
  １，３−ブチレングルコール                          ４．００
  ヤシ油                                              １．００
  クエン酸ナトリウム                                  ０．３０
  クエン酸                                            ０．１０
  パラオキシ安息香酸エステル                          ０．１０
  クエン酸ナトリウム                                  ０．３０
  エデト酸２ナトリウム                                ０．０１
  抽出例３の抽出液                                  １０．００
  精製水                                              残量
このローションを１か月間使用し続けたところ、肌荒れが改善され、しっとりとした潤いのある肌を保つことができた。
【００３５】実施例６  ローション
抽出例３の抽出液１０．００重量％の代わりに、抽出例３の抽出液の凍結乾燥末０．１０重量％を使用する他は、実施例５と同様に処理してローションを製造した。このローションを３か月間使用し続けたところ、肌荒れが改善され、しっとりとした潤いのある肌を保つことができた。
【００３６】実施例７  ムース
下記処方例５の処方のムース素材を撹拌溶解させた後、ジメチルエーテルおよび液化石油ガスを圧力充填し、噴射装置を取り付けた容器に密封しムースを製造した。
処方例５
  Ｎ−メタクリロイルエチル−Ｎ，Ｎ−ジエチル
  アンモニウム・α−Ｎ−メチルカルボキシベタ
  イン・メタクリル酸ブチル共重合体（３０％）          ４．００
  エタノール                                        １３．００
  ポリオキシエチレンセチルエーテル                    ３．００
  エデト酸２ナトリウム                                ０．０１
  抽出例４の抽出液                                    ５．００
  精製液                                              残量
このムースを２か月間使用し続けたところ、肌荒れが改善され、しっとりとした潤いのある肌を保つことができた。
【００３７】実施例８  ムース
抽出例４の抽出液５．００重量％の代わりに抽出例４の抽出液の凍結乾燥末０．０５重量％を使用する他は、実施例７と同様に処理してムースを製造した。このムースを３か月間使用し続けたところ、肌荒れが改善され、しっとりとした潤いのある肌を保つことができた。
【００３８】実施例９  乳液
下記処方例６の処方の乳液用素材を、加温溶解、撹拌乳化、冷却等常法により処理して乳液を製造した。
処方例６
  モノステアリン酸ポリオキシエチレンソルビタン        ２．００
  ステアリン酸                                        ０．５０
  テトラオレイン酸ポリオキシエチレンソルビット        ０．５０
  ベヘニルアルコール                                  ０．５０
  親油型モノステアリン酸グリセリン                    １．００
  トリオクタン酸グリセリル                            ４．００
  アボガド油                                          ４．００
  抽出例５Ａの抽出液                                ３０．００
  １，３−ブチレングリコール                          ５．００
  パラオキシ安息香酸エステル                          ０．２０
  エデト酸２ナトリウム                                ０．０１
  キサンタンガム                                      ０．１４
  グリセリン                                          ０．５０
  精製水                                              残量
この乳液を２か月間使用し続けたところ、肌荒れが改善され、しっとりとした潤いのある肌を保つことができた。
【００３９】実施例１０  乳液
抽出例５Ａの抽出液３０．０重量％の代わりに抽出例５Ａの抽出液の凍結乾燥末０．３重量％を使用する他は、実施例９と同様に処理して乳液を製造した。この乳液を３か月間使用し続けたところ、肌荒れが改善され、しっとりとした潤いのある肌を保つことができた。
【００４０】実施例１１  乳液
下記処方例７の処方の乳液用素材を、加温溶解、撹拌乳化、冷却等常法により処理して乳液を製造した。
処方例７
  モノステアリン酸ポリオキシエチレンソルビタン        １．００
  ステアリン酸                                        ０．５０
  テトラオレイン酸ポリオキシエチレンソルビット        ０．５０
  ベヘニルアルコール                                  ０．５０
  親油型モノステアリン酸グリセリン                    １．００
  トリオクタン酸グリセリル                            ４．００
  アボガド油                                          ４．００
  アスコルビン酸                                      ０．１０
  抽出例５Ｂの抽出液                                  ０．０１５
  １，３−ブチレングリコール                          ５．００
  パラオキシ安息香酸エステル                          ０．２０
  エデト酸２ナトリウム                                ０．０１
  キサンタンガム                                      ０．１４
  精製水                                              残量
この乳液を３か月間使用し続けたところ、肌荒れが改善され、しっとりとした潤いのある肌を保つことができた。
【００４１】実施例１２  乳液
抽出例５Ｂの抽出液０．０１５重量％の代わりに、抽出例５Ｂの抽出液の凍結乾燥末０．０００２重量％を使用する他は、実施例１０と同様に処理して乳液を製造した。この乳液を１か月間使用し続けたところ、肌荒れが改善され、しっとりとした潤いのある肌を保つことができた。
【００４２】実施例１３  軟膏剤
乾燥白鶴霊芝の枝３ｇを用いる代わりに乾燥白鶴霊芝の根３ｇを用いる他は、抽出例３と同様に処理して抽出液を得た。この抽出液を用いる下記処方例８の処方の軟膏剤用素材を、加温溶解、撹拌乳化、冷却等常法により処理して軟膏剤を製造した。
処方例８
  モノステアリン酸ポリエチレングリコール              ２．００
  ステアリン酸                                        ５．００
  テトラオレイン酸ポリオキシエチレンソルビット        ０．５０
  ベヘニルアルコール                                  １．００
  親油型モノステアリン酸グリセリン                    ５．００
  トリオクタン酸グリセリル                          １０．００
  流動パラフィン                                    １０．００
  白鶴霊芝根抽出液                                    １．５０
  １，３−ブチレングリコール                          ５．００
  パラオキシ安息香酸エステル                          ０．２０
  エデト酸２ナトリウム                                ０．０１
  プロピレングリコール                                １．００
  精製水                                              残量
この軟膏剤を１か月間使用し続けたところ、肌荒れが改善され、しっとりとした潤いのある肌を保つことができた。
【００４３】実施例１４  軟膏剤
白鶴霊芝根抽出液１．５０重量％の代わりに、この白鶴霊芝根抽出液の凍結乾燥末１０．００重量％を使用する他は、実施例１３と同様に処理して軟膏剤を製造した。この軟膏剤を１か月間使用し続けたところ、肌荒れが改善され、しっとりとした潤いのある肌を保つことができた。
【００４４】実施例１５  乳液
抽出例６の方法で得たエタノール抽出液を用い、下記処方例９の処方の乳液用素材を撹拌、混合して乳液を製造した。
処方例９
  天然油脂（牛脂：やし油＝７：３、水分１５％）        ８．００
  エタノール                                          ５．００
  ベヘニルアルコール                                  ０．５０
  クエン酸                                            ０．１０
  クエン酸ナトリウム                                  ０．２０
  抽出例６のエタノール抽出液                        １５．００
  １，３−ブチレングリコール                          ４．００
  パラオキシ安息香酸エステル                          ０．１０
  エデト酸２ナトリウム                                ０．０１
  精製水                                              残量
この乳液を３カ月間使用し続けたところ、肌荒れが改善され、しっとりとした潤いのある肌を保つことができた。
【００４５】実施例１６  乳液
抽出例６のエタノール抽出液１５．００重量％の代わりに、抽出例６のエタノール抽出液の凍結乾燥末０．１５重量％を使用する他は、実施例１５と同様に処理して乳液を製造した。この乳液を３カ月間使用し続けたところ、肌荒れが改善され、しっとりとした潤いのある肌を保つことができた。
・・・
【００５０】実施例２１  固形石鹸
乾燥白鶴霊芝の葉および枝３ｇをエタノールに１２０分間浸漬し、得られた液を５００ｍｌに定容して抽出液を得た。抽出例１の抽出液２０重量％を用いる代わりに、得られた抽出液２０重量％を用いる他は実施例１と同様に処理して固形石鹸を製造した。この石鹸を３カ月間使用し続けたところ、肌荒れが改善され、しっとりとした潤いのある肌を保つことができた。
【００５１】実施例２２  固形石鹸
抽出例６の方法で得られたアセトン抽出液５００ｍｌをエバポレータ［（株）東京理化製Ｎ−Ｎ型、以下同じ］を用いて溶媒留去し、蒸留水５００ｍｌに定容して抽出水溶液を得た。抽出例１の抽出液２０重量％を用いる代わりに、この抽出水溶液２０重量％を用いる他は実施例１と同様に処理して固形石鹸を製造した。  この石鹸を３カ月間使用し続けたところ、肌荒れが改善され、しっとりとした潤いのある肌を保つことができた。
【００５２】実施例２３  固形石鹸
実施例２２の方法で得られた抽出水溶液５００ｍｌを凍結乾燥して微粉末を得た。抽出例１の抽出液凍結乾燥粉末０．１重量％を用いる代わりにこのようにして得られた凍結乾燥粉末０．１重量％を用いる他は実施例２と同様に処理して固形石鹸を製造した。この石鹸を３カ月間使用し続けたところ、肌荒れが改善され、しっとりとした潤いのある肌を保つことができた。
【００５３】実施例２４  ローション
白鶴霊芝全草２ｇ、霊芝０．２ｇおよびドクダミ０．３ｇの乾燥混合物をエタノールに浸漬し、６０分間保持した後濾過し、得られた液を５００ｍｌに定容して抽出液を得た。抽出例３の抽出液１０重量％を用いる代わりに、このようにして得られた抽出液１０重量％を用いる他は実施例５と同様に処理してローションを製造した。このローションを３カ月間使用し続けたところ、肌荒れが改善され、しっとりとした潤いのある肌を保つことができた。
【００５４】実施例２５  ローション
実施例２４で得られた抽出液を凍結乾燥して微粉末を得た。抽出例３の抽出液凍結乾燥粉末０．１重量％を用いる代わりに、このようにして得られた凍結乾燥粉末０．１重量％を用いる他は、実施例６と同様に処理してローションを製造した。このローションを３カ月間使用し続けたところ、肌荒れが改善され、しっとりとした潤いのある肌を保つことができた。
【００５５】実施例２６  固形石鹸
乾燥白鶴霊芝の葉および枝３ｇを１，３−ブチレングリコールに１２０分間浸漬し、得られた液を５００ｍｌに定容して抽出液を得た。抽出例１の抽出液２０重量％を用いる代わりに、得られた抽出液２０重量％を用いる他は実施例１と同様に処理して固形石鹸を製造した。この石鹸を３カ月間使用し続けたところ、肌荒れが改善され、しっとりとした潤いのある肌を保つことができた。
【００５６】実施例２７  固形石鹸
抽出例６の方法で得られたエーテル抽出液５００ｍｌをエバポレータを用いて溶媒留去し、蒸留水５００ｍｌに定容して抽出水溶液を得た。抽出例１の抽出液２０重量％を用いる代わりに、抽出水溶液２０重量％を用いる他は実施例１と同様に処理して固形石鹸を製造した。この石鹸を３カ月間使用し続けたところ、肌荒れが改善され、しっとりとした潤いのある肌を保つことができた。
【００５７】実施例２８  固形石鹸
実施例２７の方法で得られた抽出水溶液５００ｍｌを凍結乾燥して微粉末を得た。抽出例１の抽出液凍結乾燥粉末０．１重量％を用いる代わりに、このようにして得られた凍結乾燥粉末０．１重量％を用いる他は実施例２と同様に処理して固形石鹸を製造した。この石鹸を３カ月間使用し続けたところ、肌荒れが改善され、しっとりとした潤いのある肌を保つことができた。
【００５８】実施例２９  ローション
白鶴霊芝全草２ｇ、霊芝０．５ｇおよびドクダミ０．５ｇの混合物を１，３−ブチレングリコールに浸漬し、６０分間保持した後濾過し、得られた濾液を５００ｍｌに定容して抽出液を得た。抽出例３の抽出液１０重量％を用いる代わりに、このようにして得られた抽出液１０重量％を用いる他は実施例５と同様に処理してローションを製造した。このローションを３カ月間使用し続けたところ、肌荒れが改善され、しっとりとした潤いのある肌を保つことができた。
【００５９】実施例３０  ローション
実施例２９で得られた抽出液を凍結乾燥して微粉末を得た。抽出例３の抽出液凍結乾燥粉末０．１重量％を用いる代わりに、このようにして得られた凍結乾燥粉末０．１重量％を用いる他は、実施例６と同様に処理してローションを製造した。このローションを３カ月間使用し続けたところ、肌荒れが改善され、しっとりとした潤いのある肌を保つことができた。
【００６０】実施例３１  固形石鹸
乾燥白鶴霊芝の葉および枝３ｇをエタノール：水＝１：１の混合物に６０分間浸漬し、得られた液を５００ｍｌに定容して抽出液を得た。抽出例１の抽出液２０重量％を用いる代わりに、このようにして得られた抽出液２０重量％を用いる他は実施例１と同様に処理して固形石鹸を製造した。この石鹸を３カ月間使用し続けたところ、肌荒れが改善され、しっとりとした潤いのある肌を保つことができた。
【００６１】実施例３２  固形石鹸
抽出例６の方法で得られたベンゼン抽出液５００ｍｌをエバポレータで溶媒留去し、蒸留水で５００ｍｌに定容して抽出水溶液を得た。抽出例１の抽出液２０重量％を用いる代わりに、このようにして得られた抽出水溶液２０重量％を用いる他は実施例１と同様に処理して固形石鹸を製造した。この石鹸を３カ月間使用し続けたところ、肌荒れが改善され、しっとりとした潤いのある肌を保つことができた。
【００６２】実施例３３  固形石鹸
乾燥白鶴霊芝全草３ｇをエタノール：１，３−ブチレングリコール＝３：１混合物に６０分間浸漬し、得られた液を冷却後、５００ｍｌに定容して抽出液を得た。抽出例１の抽出液２０重量を用いる代わりに、このようにして得られた抽出液２０重量を用いる他は実施例１と同様に処理して固形石鹸を製造した。この石鹸を３カ月間使用し続けたところ、肌荒れが改善され、しっとりとした潤いのある肌を保つことができた。
【００６３】実施例３４  固形石鹸
白鶴霊芝全草３ｇ、霊芝０．１５ｇおよびドクダミ０．１５ｇの乾燥混合物をエタノール：水＝１：１の混合物に６０分間浸漬した後濾過し、得られた濾液を５００ｍｌに定容して抽出液を得た。抽出例１の抽出液２０重量を用いる代わりに、このようにして得られた抽出液２０重量を用いる他は実施例１と同様に処理して固形石鹸を製造した。この石鹸を３カ月間使用し続けたところ、肌荒れが改善され、しっとりとした潤いのある肌を保つことができた。」
（カ）
「【００６４】
【発明の効果】本発明化粧料は、活性酸素消去能を有する白鶴霊芝・・・の溶媒抽出物を含有しているので、これを使用することにより皮膚の老化・・・を防止することができる。」
第４　引用例に記載された発明
　引用例の上記摘示（ア）の記載からみて、引用例には次の発明（以下、「引用発明」という）が記載されていると認められる。
「白鶴霊芝の水および／または有機溶媒抽出物を含有することを特徴とする化粧料。」
第５　対比
　本願発明と引用発明を対比する。
　本願発明の「白鶴霊芝からの抽出物」は、本願明細書の「抽出に使用する溶媒としては水及び有機溶媒が挙げられ、これらを単独であるいは適当割合混合して用いる。」（【００１７】）との記載を参酌すると、「白鶴霊芝の水および／または有機溶媒抽出物」と解することができるため、引用発明の「白鶴霊芝の水および／または有機溶媒抽出物」は、本願発明の「白鶴霊芝からの抽出物」に相当する。
　以上のことから、両発明は、
「白鶴霊芝からの抽出物を含有することを特徴とする化粧料。」で一致し、下記の点で一応相違する。
相違点：
白鶴霊芝からの抽出物を含有する化粧料が、本願発明では「コラーゲン産生促進作用を有する」ものであるのに対し、引用発明ではそのような特定がない点。
第６　判断
　上記一応の相違点について判断する。
　引用発明は、「白鶴霊芝からの抽出物」を化粧料、特に皮膚の老化を防止する化粧料に使用するものであって（上記摘示（イ）（ウ）（カ））、実施例として乾燥白鶴霊芝の熱水又は有機溶媒での抽出物を固形石鹸、クリーム、ローション、ムース、乳液、軟膏剤に使用した例が記載されており（上記摘示（エ）（オ））、いずれも「肌荒れが改善され、しっとりした潤いのある肌を保つことができた」ことが示されている。
　一方、本願発明の「白鶴霊芝からの抽出物を含有することを特徴とする、コラーゲン産生促進作用を有する化粧料」は、「白鶴霊芝からの抽出物」が「コラーゲン産生促進作用」を有することを見いだしたことに基づく発明であるが（【００３８】〜【００４６】）、本願明細書には、「コラーゲン産生促進作用を有する化粧料」とは「皮膚老化等を防止及び／又は改善する」（【０００７】【００２３】）ためのものとして記載されているだけで、実施例においても、乾燥した白鶴霊芝粉砕物の熱水、水又はエタノール水での抽出液（実施例１〜９）を固形石鹸、クリーム、ローション、ムース、乳液、軟膏剤として使用した場合に、肌荒れを改善し、肌に張りを戻し、しっとりとした潤いのある肌にすることができることが定性的に示されているにすぎない（【００７３】）。
　なお、本願明細書では、インビトロにおけるコラーゲン産生促進作用は確認されているものの（【００３８】〜【００４６】）、化粧料として使用した場合に同様のコラーゲン産生促進作用が得られることは確認していないので、上記「皮膚の老化等を防止及び／又は改善する」ことがコラーゲン産生促進作用によるものであることを客観的に確認することはできない。
　そうすると、本願発明の化粧料と引用発明の化粧料とは、皮膚老化等を防止及び／又は改善するという化粧料としては何ら区別することができないものと解される。
　確かに、引用例には、「白鶴霊芝からの抽出物」がコラーゲン産生促進作用を有することについては記載がないものの、その結果として得られる、皮膚老化等を防止及び／又は改善する、すなわち肌荒れを改善し、肌に張りを戻し、しっとりといた潤いのある肌にすることができる化粧料としての用途としては本願発明と引用発明とで相違するものではなく、そうすると、「コラーゲン産生促進作用」という「白鶴霊芝からの抽出物」の属性（皮膚老化防止のための作用機序）を見いだしことによって、化粧料としての新たな用途を提供したということはできない。
　よって、上記一応の相違点は実質的な相違点ではない。
　したがって、本願発明は、引用例に記載された発明であるから、特許法第２９条第１項第３号の規定に該当し、特許を受けることができない。
第７　むすび
　以上のとおりであるから、本願の請求項２に係る発明は、引用例に記載された発明であるから、特許法第２９条第１項第３号の規定に該当し、特許を受けることができない。
　したがって、その他の請求項に係る発明についての判断を示すまでもなく、本願は拒絶すべきものである。
　よって、結論のとおり審決する。